(57)【特許請求の範囲】
【請求項１】
送信ファイアリング時に、送信焦点位置に集束していると共に基本周波数に中心を有する送信パルス・スペクトルを有している波動エネルギを送信する工程と、
１組の受信信号を形成するように、前記送信ファイアリングにおいて送信されて物質から反射された波動エネルギを変換する工程と、
受信走査線に沿って取得された音波データを含んでいる受信ベクトルを形成するように、前記１組の受信信号をビーム形成する工程と、
帯域通過した受信ベクトルを形成するように、前記基本周波数に中心を有する基本信号成分を除去すると共に、前記基本周波数よりも低い中心周波数を有する調波信号成分の受信通過帯域を通して前記受信ベクトルの信号成分を帯域通過フィルタ処理する工程と、
表示画像データを形成するように、前記帯域通過した受信ベクトルを処理する工程と、
前記表示画像データを表示する工程と、
を有しており、前記受信通過帯域及び前記送信パルス・スペクトルは、無視できる程度の重なりを有している、物質をイメージングする方法。
【請求項２】
基本周波数に中心を有する送信パルス・スペクトルを有している超音波エネルギを音波媒体内に送信する工程と、前記音波媒体から反射した超音波エネルギを１組の電気的な受信信号へ変換する工程と、前記基本周波数に中心を有する基本信号成分が除去された帯域通過した受信信号を形成するように、ＤＣと前記送信パルス・スペクトルとの間に位置している通過帯域を通って漏出した前記受信信号の調波成分を検出する工程と、表示画像データを形成するように前記帯域通過した受信信号を処理する工程と、前記表示画像データを表示する工程と、を有しており、前記受信通過帯域及び前記送信パルス・スペクトルは、無視できる程度の重なりを有している、音波媒体の超音波反射特性をイメージングする方法。
【請求項３】
送信ファイアリング時に、送信焦点位置に集束していると共に基本周波数に中心を有する送信パルス・スペクトルを有している波動エネルギを送信する工程と、１組の受信信号を形成するように、前記送信ファイアリングにおいて送信されて物質から反射された波動エネルギを変換する工程と、受信走査線に沿って取得された音波データを含んでいる受信ベクトルを形成するように、前記１組の受信信号をビーム形成する工程と、第１及び第２のベースバンド信号成分を形成するように、前記１組の受信信号を復調する工程と、第１及び第２の帯域通過したベースバンド信号成分を形成するように、前記基本周波数に中心を有する基本信号成分を除去すると共に、前記基本周波数よりも低い中心周波数を有する調波信号成分の受信通過帯域を通して前記第１及び第２のベースバンド信号成分を帯域通過フィルタ処理する工程と、包絡線信号を形成するように、前記第１及び第２の帯域通過したベースバンド信号成分を検出する工程と、表示画像データを形成するように、前記包絡線信号を処理する工程と、前記表示画像データを表示する工程と、を有しており、前記受信通過帯域及び前記送信パルス・スペクトルは、無視できる程度の重なりを有している、物質をイメージングする方法。
【請求項４】
前記波動エネルギは超音波であり、ＤＣに中心を有する調波スペクトルから前記受信通過帯域内へ漏出した調波信号を検出する工程を含んでいる請求項１又は３に記載の方法。
【請求項５】
前記受信通過帯域は、ＤＣと前記送信パルス・スペクトルとの間に位置している請求項１乃至４のいずれかに記載の方法。
【請求項６】
前記処理する工程は、包絡線信号を形成するように、前記フィルタ処理された受信ベクトルを包絡線検出する工程を含んでいる請求項１または２に記載の方法。
【請求項７】
電気的な作動に応答して波動エネルギを送信すると共に、反射された波動エネルギを電気信号へ変換する多数のトランスデューサ素子を含んでいるトランスデューサ・アレイと、該トランスデューサ・アレイに結合されていて、送信ファイアリング時に、多数の前記トランスデューサ素子を作動して、送信焦点位置に集束していると共に基本周波数に中心を有する送信パルス・スペクトルを有している波動エネルギを送信するようにプログラムされている送信器と、前記送信ファイアリングに続いて前記トランスデューサ・アレイにより発生された１組の受信信号をビーム形成して、受信走査線に沿って取得された音波データを含んでいる受信ベクトルを形成するようにプログラムされている受信器と、前記基本周波数に中心を有する基本信号成分を除去すると共に、前記基本周波数よりも低い中心周波数を有する受信通過帯域を通して前記受信ベクトルの信号成分をフィルタ処理して、フィルタ処理された受信ベクトルを形成する帯域通過フィルタと、前記フィルタ処理された受信ベクトルを処理して、表示画像データを形成する処理装置と、前記表示画像データを表示する表示装置と、を備え、前記受信通過帯域及び前記送信パルス・スペクトルは、無視できる程度の重なりを有しているイメージング・システム。
【請求項８】
電気的な作動に応答して波動エネルギを送信すると共に、反射された波動エネルギを電気信号へ変換する多数のトランスデューサ素子含んでいるトランスデューサ・アレイと、画像データを表示する表示モニタと、送信器と、受信器と、該受信器に結合されている処理回路と、前記送信器及び前記受信器に結合されていて、（ａ）送信ファイアリング時に、前記アレイ内のトランスデューサ素子を作動して、送信焦点位置に集束していると共に基本周波数に中心を有する送信パルス・スペクトルを有している波動エネルギを送信する工程、（ｂ）前記送信ファイアリングに続いて前記トランスデューサ・アレイにより発生された１組の受信信号をビーム形成して、受信走査線に沿って取得された音波データを含んでいる受信ベクトルを形成する工程、（ｃ）前記基本周波数に中心を有する基本信号成分を除去すると共に、前記基本周波数よりも低い中心周波数を有する調波信号成分の通過帯域を通して前記受信ベクトルの信号成分を帯域通過フィルタ処理して、フィルタ処理された受信ベクトルを形成する工程、（ｄ）前記フィルタ処理された受信ベクトルを処理して、表示画像データを形成する工程、及び（ｅ）前記表示画像データの関数である画像信号を前記表示モニタへ供給する工程を駆動し制御するようにプログラムされているホスト・コンピュータと、を備え、前記受信通過帯域及び前記送信パルス・スペクトルは、無視できる程度の重なりを有しているイメージング・システム。
【請求項９】
電気的な作動に応答して波動エネルギを送信すると共に、反射された波動エネルギを電気信号へ変換する多数のトランスデューサ素子を含んでいるトランスデューサ・アレイと、該トランスデューサ・アレイに結合されていて、送信ファイアリング時に、多数の前記トランスデューサ素子を作動して、送信焦点位置に集束していると共に基本周波数に中心を有する送信パルス・スペクトルを有している波動エネルギを送信するようにプログラムされている送信器と、前記送信ファイアリングに続いて前記トランスデューサ・アレイにより作成された１組の受信信号をビーム形成して、受信走査線に沿って取得された音波データを含んでいる受信ベクトルを形成するようにプログラムされている受信器と、前記１組の受信信号を復調して、第１及び第２のベースバンド信号成分を形成する復調器と、前記基本周波数に中心を有する基本信号成分を除去すると共に、前記基本周波数よりも低い中心周波数を有する調波信号成分の受信通過帯域を通して前記第１及び第２のベースバンド信号成分をフィルタ処理して、第１及び第２の帯域通過したベースバンド信号成分を形成する帯域通過フィルタと、前記第１及び第２の帯域通過したベースバンド信号成分の包絡線を検出する包絡線検出器と、前記包絡線を処理して、表示画像データを形成する処理装置と、前記表示画像データを表示する表示装置と、を備え、前記受信通過帯域及び前記送信パルス・スペクトルは、無視できる程度の重なりを有しているイメージング・システム。
【請求項１０】
前記処理装置は、ＤＣに中心を有する調波スペクトルから前記受信通過帯域に漏出した調波信号を検出する請求項７乃至９のいずれかに記載のシステム。
【請求項１１】
前記処理装置は、前記基本周波数に中心を有する調波スペクトルから前記受信通過帯域に漏出した調波信号を検出する請求項７乃至９のいずれかに記載のシステム。
【請求項１２】
前記受信通過帯域は、ＤＣと前記送信パルス・スペクトルとの間に位置している請求項７乃至９のいずれかに記載のシステム。
【請求項１３】
前記トランスデューサ素子は圧電素子を含んでいる請求項７乃至９のいずれかに記載のシステム。
【請求項１４】
前記処理装置は、前記フィルタ処理された受信ベクトルから包絡線を検出する包絡線検出器を含んでいる請求項７乃至９のいずれかに記載のシステム。
【発明の詳細な説明】
【０００１】
【発明の属する技術分野】
本発明は一般的には、超音波イメージングに関し、より具体的には、医学的診断の目的での人体の解剖学的構造のハーモニック(harmonic)イメージングに関する。
【０００２】
【従来の技術】
従来の超音波スキャナは、ピクセルの輝度がエコー反射の強度に基づいているような組織の２次元Ｂモード画像を形成する。従来のＢモード画像は、送信されたパルスの直接のエコーである基本信号成分と、組織等の非線形媒体において有限振幅の超音波伝播から発生される調波（ハーモニック）信号成分との組み合わせから形成されている。例えば肥満体の患者の場合におけるように、場合によっては、基本信号成分を抑制すると共に調波信号成分を強調することにより超音波画像を改善することができる。
【０００３】
生体組織中での超音波ビームの伝播は非線形であって、これにより調波がすることが知られている。ハーモニック・イメージングにおいては、基本周波数ｆ0にあるエネルギが送信されて、第２調波２ｆ0 にあるエネルギによって画像が形成される。非線形で発生される第２調波ビームの特徴のうちのいくつかとして、基本ビームよりもビームが狭くサイドローブが小さいこと、及びビーム形成が累加的な過程で行われる、即ち、第２調波が伝播時に基本成分からエネルギを継続的に引き出すことが挙げられる。これらの特徴は、横方向の分解能の向上、困難なウィンドウ（即ち、プローブを配置しても良質の画像が得られないような人体位置）による多数の反射又はその他の収差の減少、並びに組織及び皮膚層における不均一性によるクラッタの減少に寄与する。
【０００４】
超音波スキャナにおけるハーモニック・イメージングのための少なくとも２つの方法が公知である。１つの方法では、フェーズド・アレイのトランスデューサ素子が、送信焦点ゾーンに集束した超音波ビームを発生するように時間遅延を付与された基本周波数を有する波形によって作動される。尚、単一の集束したビームの送信を「ファイアリング(firing)」と呼ぶものとする。呼び掛け(interrogation) を受けた生体から反射されたエコーは、アレイ素子によって電気信号へ変換されて、基本信号成分と調波信号成分との両方を有する音波データの受信ベクトルを形成するように時間遅延を付与される。受信フィルタが、基本信号成分を除去すると共に調波信号成分を分離する。この調波信号成分は検出され走査変換されて、表示される。
【０００５】
第２の方法では、各々のトランスデューサ素子が、１回目の送信ファイアリング時には１つの極性を有する第１の波形によって作動され、２回目の送信ファイアリング時には反対の極性を有する第２の波形によって作動される。これらの波形は両方とも、基本周波数を有する広帯域パルスである。各回のファイアリング時のトランスデューサ素子の作動は、同じ送信焦点ゾーンに集束した超音波ビームを発生するように時間遅延を付与されている。各回のファイアリングから、音波データから成るそれぞれの受信ベクトルが得られ、各々のベクトルは、基本信号成分と偶数次調波信号成分との両方を有する。しかしながら、これらの受信ベクトルがベクトル加算されると、基本信号成分は実質的に相殺されて、偶数次調波信号成分が分離される。この調波信号成分は、検出され走査変換されて、表示される。
【特許文献１】
米国発行特許第5632277号
【特許文献２】
米国発行特許第5891038号
【特許文献３】
日本公開特許H10-295694
【特許文献４】
米国発行特許第5957852号
【特許文献５】
米国発行特許第5977911号
【特許文献６】
米国発行特許第6077226号
【特許文献７】
米国公開特許2000300562
【特許文献８】
米国発行特許第6102858号
【特許文献９】
日本公開特許2000-152939
【０００６】
【発明が解決しようとする課題】
第１の方法には、次のような欠点がある。即ち、（ａ）受信される信号が狭帯域となり、従って、分解能が不十分となる。（ｂ）大きな基本信号成分を完全にフィルタ除去することは困難であり、従って、若干の残留基本信号が存在し、コントラストの改善を阻む。（ｃ）送信信号が調波周波数を含んでいると、これらの調波周波数をフィルタ除去することは不可能である。
【０００７】
第２の方法は、第１の方法の欠点を呈することはない。しかしながら、第２の方法の大きな欠点は、特定の送信焦点ゾーンに対応する調波データを取得するのに２回のファイアリングが必要であることであり、従って、フレーム・レートが常に２分の１だけ低下する。第２の方法はまた、モーション・アーティファクト（即ち、動きに起因するアーティファクト）を生じ易い。また、周波数のより低いトランスデューサでは、第２の方法はしばしば実現可能でない。
【０００８】
【課題を解決するための手段】
本発明は、パラメトリック（parametric）ハーモニック・イメージングを行う方法及び装置を提供して、診断用超音波イメージングにおいて様々な組織種別を明瞭に区別することを可能にする。所与の圧力パルスｐ（ｔ）による非線形組織応答Ｒ（ｐ）を、次のような羃級数としてモデル化することができる。
【０００９】
【数１】
0004728466.tif 000002
【００１０】
ここで、αk は調波応答パラメータである。これらの調波応答パラメータは、健全な組織と疾患のある組織との間では大幅に異なっている可能性があるので、本発明の方法は、これらの調波応答パラメータを利用して組織をイメージングする。
【００１１】
本発明の好ましい実施態様によれば、単一回の送信ファイアリングを用いて、多数の調波応答パラメータのイメージングを行う。パラメトリック・ハーモニック・イメージングは、周波数ｆ0 に中心を有するパルスを送信すること、及びｆ0 よりも低い周波数に中心を有する帯域通過フィルタを用いて、反射信号を受信することから成る。基本送信パルスのスペクトル及び受信フィルタの通過帯域は、実質的に調波信号成分のみを帯域通過させるために、無視できる程度の重なり（オーバーラップ）を有するように選択される。この方法は、ＤＣ（ゼロ周波数）又はｆ0 に中心を有する調波スペクトルから通過帯域へ漏出（リーク）した調波信号を検出する。通過帯域に漏出した信号成分は、調波応答パラメータの集合全体の関数となる。
【００１２】
【発明の実施の形態】
本発明は、図１に全体的に概略を示す形式の超音波イメージング・システムに組み込むことができる。このイメージング・システムは、別々に駆動される圧電式トランスデューサ素子１２から成るトランスデューサ・アレイ１０を含んでおり、トランスデューサ素子１２の各々は、送信器１４によって発生されるパルス波形によって付勢されると、超音波エネルギのバーストを発生する。被検体（図示されていない）から反射されてトランスデューサ・アレイ１０へ戻った超音波エネルギは、受信用の各々のトランスデューサ素子１２によって電気信号へ変換されて、１組の送受信（Ｔ／Ｒ）スイッチ１８を介して受信器に別々に印加される。送信器１４及び受信器１６は、操作者による命令に応答してホスト・コンピュータ又はマスタ・コントローラ２０の制御下で動作する。１回の完全な走査（スキャン）は、送信器１４を瞬間的にオンにゲート駆動して各々のトランスデューサ素子１２を付勢し、その後、各々のトランスデューサ素子１２によって発生されたエコー信号を受信器１６に印加することにより、一連のエコーを取得することによって行われる。各々の１つのチャネルは、他のチャネルが依然として送信している間に受信を開始してもよい。受信器１６は、各々のトランスデューサ素子からの別々のエコー信号を結合して単一のエコー信号を発生し、このエコー信号を用いて、典型的にはビデオ・プロセッサと表示モニタ（図示されていない）とを含んでいる表示装置２２上に画像の１本の線を形成する。
【００１３】
ホスト・コンピュータ２０の指令下で、送信器１４は、超音波エネルギが方向制御された集束ビームとして送信されるようにトランスデューサ・アレイ１０を駆動する。このことを達成するために、送信ビームフォーマ２６によって多数のパルサ２４に対してそれぞれの時間遅延が付与される。ホスト・コンピュータ２０は、音波パルスが送信される条件を決定する。この情報によって、送信ビームフォーマ２６は、パルサ２４によって発生されるべき各々の送信パルスのタイミング及び振幅を決定する。各々の送信パルスの振幅は、各々のパルサへの供給電圧を設定する高電圧コントローラのようなアポダイゼーション発生回路３６によって発生される。すると、パルサ２４は、Ｔ／Ｒスイッチ１８を介してトランスデューサ・アレイ１０の素子１２の各々に対して送信パルスを送る。Ｔ／Ｒスイッチ１８は、トランスデューサ・アレイに存在している可能性のある高電圧から時間ゲイン補償（ＴＧＣ）増幅器２８を保護している。特定の送信チャネルについてのアポダイゼーション加重は、送信焦点位置と、当該送信チャネルに関連するトランスデューサ素子との間の距離の関数となる。加重（重み付け）は、アポダイゼーション発生回路３６によって供給され、このアポダイゼーション発生回路３６は、送信ビームフォーマ２６からパルサ２４に対して加重データを印加する１組のディジタル・アナログ（digital-to-analog）変換器を含み得る。従来の方式で送信集束時間遅延を適当に調節すると共に、送信アポダイゼーション加重を調節することにより、個々のトランスデューサ素子によって送信される多数の超音波を結合して、方向制御され集束した送信ビームを形成することができる。アポダイゼーション加重及び送信集束時間遅延は、システムのプログラミング及び操作者の入力に基づいてホスト・コンピュータによって設定することができる。
【００１４】
超音波エネルギの各々のバーストは、各々の送信ビームに沿って相次ぐレンジに位置している物体から反射される。結果として得られるエコーは、各々のトランスデューサ素子１２によってアナログの電気的なエコー信号へ変換され、特定の時間点におけるエコー信号の大きさのサンプルが、特定のレンジにおいて生じた反射の量を表わすものとなる。反射点と各々のトランスデューサ素子１２との間の伝播経路は異なっているので、エコーは同時に検出される訳ではなく、また、各エコーの振幅は等しくならない。受信器１６は、各々の受信チャネル内に設けられているそれぞれのＴＧＣ増幅器２８を介して別々のエコー信号を増幅する。ＴＧＣ増幅器のゲインを深さの関数として増大させる又は減少させることにより、時間ゲイン補償が行われる。ＴＧＣ増幅器によって与えられる増幅量は、ＴＧＣ回路（図示されていない）から制御され、このＴＧＣ回路はホスト・コンピュータ及びポテンシオメータ（図示されていない）の手動操作によって設定される。次いで、アナログのエコー信号は、受信ビームフォーマ３０へ送られる。
【００１５】
ホスト・コンピュータ２０の指令下で、受信ビームフォーマ３０は、送信されたビームの方向を追尾する。受信ビームフォーマ３０は、アナログ信号をディジタル信号へ変換し、増幅後の各々の信号に対して適正な時間遅延及び受信アポダイゼーション加重を付与し、結果として得られた信号を加算して、１つの超音波ビームに沿って特定のレンジに位置している点から反射された全超音波エネルギを正確に表わしているエコー信号を形成する。受信集束時間遅延は、専用のハードウェアを用いて実時間で算出されるか、又はルックアップ・テーブルから読み込まれる。受信チャネルはまた、受信されたパルスをフィルタ処理するための回路を含んでいる。受信アポダイゼーション加重及び受信集束時間遅延は、システムのプログラミング及び操作者の入力に基づいてホスト・コンピュータによって設定することができる。
【００１６】
時間遅延を付与された受信信号は、加算されて、信号プロセッサ又は検出器３２へ供給される。検出器３２は、加算後の受信信号を表示データへ変換する。典型的なグレイ・スケールの表示画像では、表示データは、エッジ強調及び対数圧縮等の何らかの追加処理を施された信号の包絡線となる。無線周波数（ＲＦ）データの場合には、包絡線は低域通過フィルタを用いて検出することができ、また、ベースバンド・データの場合には、包絡線は（Ｉ2 ＋Ｑ2 ）1/2 を表わす信号を発生する包絡線検出器を用いて検出することができる。尚、ここで、Ｉはベースバンド・データの同相信号成分であり、Ｑは直角信号成分である。
【００１７】
一般に、表示データは、ビデオ表示用にスキャン・コンバータ（走査変換器）３４によってデカルト座標のＸＹフォーマットへ変換される。走査変換後のフレームは、表示装置２２に組み込まれているビデオ・プロセッサ（図示されていない）へ渡される。ビデオ・プロセッサは、ビデオ・データを表示用にマッピングし、マッピングされた画像フレームを表示装置へ送る。
【００１８】
表示装置２２のビデオ・モニタ（図示されていない）上に表示される画像は、各々のデータが表示器のそれぞれのピクセルの強度又は輝度を決定しているようなデータから成る画像フレームから形成される。１つの画像フレームは、例えば、２５６×２５６のデータの配列を含むことができ、この配列内では、各々の強度データがピクセルの輝度を指示する８ビットの２進数となっている。表示モニタ上の各々のピクセルの輝度は、データ配列内でピクセルに対応している要素の値を読み込むことにより、周知の方式で間断なく更新される。各々のピクセルは、呼び掛けを行った超音波パルスに応答したそれぞれのサンプル空間の後方散乱体断面積の関数である強度値を有している。
【００１９】
図２は、本発明の好ましい実施例による超音波イメージング・システムの部分を示している。同図では、送信開口内の各々のトランスデューサ素子が、送信系列メモリ３８に記憶されている送信系列に従ってそれぞれのパルサ２４によってパルス駆動される。パルサが２極式（バイポーラ）である場合、系列は１及び−１より構成される。送信系列(sequence)に応答して、各々のパルサは、関連するトランスデューサ素子へ波形を供給する。送信系列は、トランスデューサの通過帯域を最大エネルギが確実に通過するように最適化され得る。適当な送信系列は、トランスデューサの動作特性に応じて、且つ当業界で点拡散関数として知られている点目標についての所望のイメージング応答に応じて、選択することができる。トランスデューサ・アレイによって送信される超音波パルスは、基本周波数ｆ0 に中心を有する広い周波数帯域を有している。
【００２０】
パルサ２４は、送信ファイアリング時に発生される超音波エネルギが１つの送信焦点位置に集束するようにトランスデューサ・アレイ１０の各素子１２を駆動する。このことを達成するために、送信符号（コード）に従ってパルサによって出力されるそれぞれのパルス波形に対し、送信集束時間遅延３６が付与される。送信集束時間遅延を従来の方式で適当に調節することにより、超音波ビームを多数の送信焦点位置に集束させて、画像平面内での走査を行うことができる。
【００２１】
各回の送信について、トランスデューサ素子１２からのエコー信号は、受信ビームフォーマのそれぞれの受信チャネル４０へ供給される。ホスト・コンピュータ２０（図１）の指令下で、受信ビームフォーマは、送信されたビームの方向を追尾する。受信ビームフォーマは、受信されたエコー信号に対して適正な受信集束時間遅延４２を付与し、遅延後の受信エコー信号を合計して、送信ビームに沿った特定の送信焦点位置から反射した全超音波エネルギを正確に指示するエコー信号を形成する。時間遅延後の受信信号は、各回の送信ファイアリング毎に受信ビーム加算器４４において加算される。各回の送信ファイアリング毎に加算された受信信号は、帯域通過フィルタ４６へ供給される。フィルタ４６の各タップは、フィルタ係数メモリ４８からそれぞれのフィルタ係数を受け取っている。このフィルタ係数の組は、ｆ0 よりも低い周波数に中心を有する通過帯域を有する帯域通過フィルタを形成するように設計されている。送信系列及び帯域通過フィルタ係数は、基本送信パルス・スペクトルと受信フィルタの通過帯域とが無視できる程度の重なり（オーバーラップ）を有するように選択されているので、帯域通過フィルタ４６は、実質的に調波信号しか検出器３２へ通過させない。帯域通過フィルタ係数は、更なる処理、即ち、（図１に示すような）検出器３２における包絡線検出、スキャン・コンバータ３４における走査変換及び表示装置２２におけるビデオ処理を施すために偶数次及び奇数次の調波信号成分が帯域通過するように設計されている。
【００２２】
以上の方法を用いて、各々の受信ベクトルが、帯域通過フィルタ４６の通過帯域に漏出した調波信号成分を含んでいるような画像を表示することができる。式（１）から、第ｋ調波信号成分は、ｐk （ｔ）によって与えられる。従って、第ｋ調波についての対応するスペクトルは、次のようにして、基本パルス・スペクトルＰ1 （ｆ）のｋ個の複製の畳み込みによって与えられる。
【００２３】
Ｐk(f)＝Ｐ1(f)＊Ｐ1(f)＊...（全部でｋ個の複製）...＊Ｐ1(f)    （２）
ここで、Ｐ1 （ｆ）は、ｐ（ｔ）のフーリエ変換である。
【００２４】
図４は、ｋ＝１のときの例についてのスペクトルを示しており、即ち、中心周波数ｆ0 ＝４ＭＨｚを有する基本信号成分についてのスペクトルを示している。破線は、従来技術による第２調波イメージングの理想的な通過帯域を示しており、点線は、本発明によるパラメトリック・ハーモニック・イメージングについての理想的な通過帯域を示している。ｋ＝２、ｋ＝３及びｋ＝４の例での各スペクトルを、それぞれ図５、図６及び図７に示す。図５及び図７でわかるように、偶数次調波（例えば、ｋ＝２又は４）についてのスペクトルは、ゼロ周波数（ＤＣ）に大きなスペクトル・ピークを有していると共に、±２ｆ0 にもやや小さなピークを有している。また、図６でわかるように、奇数次調波（例えば、ｋ＝３）についてのスペクトルは、±ｆ0 に大きなスペクトル・ピークを有している。加えて、調波スペクトルの帯域幅は、昇順で増大している。このように、ＤＣと送信された基本周波数との間の通過帯域を有する受信フィルタは、偶数次調波についてはＤＣに中心を有する調波スペクトルから、又は奇数次調波についてはｆ0 に中心を有する調波スペクトルからフィルタの通過帯域に漏出した調波信号成分を検出器へ通過させる。受信フィルタの通過帯域に漏出した信号内容は、調波応答パラメータの集合全体の関数となる。
【００２５】
好ましい実施例によれば、フィルタ係数は、調波信号成分の所望の帯域通過フィルタ処理を達成するように選択することができる。ホスト・コンピュータのメモリ内部のルックアップ・テーブルに様々なフィルタ係数の組を記憶させることができ、所望の係数の組をシステム操作者が選択し得るようにすることができる。
【００２６】
ここに開示したパラメトリック・ハーモニック・イメージング手法は、無線周波数信号又はベースバンド信号に適用することができる。後者の例では、受信ビーム加算器４４によって発生された無線周波数信号は、図３に示すような復調器５０によって同相及び直角（Ｉ／Ｑ）信号成分として復調される。次いで、Ｉ／Ｑ信号成分は、フィルタ４６によって帯域通過フィルタ処理される。尚、フィルタ４６は、実数型(real)フィルタであってもよいし、又は複素型(complex) フィルタであってもよい。次いで、帯域通過フィルタ処理後のＩ／Ｑ信号成分は検出器３２へ供給され、検出器３２は、量（Ｉ2 ＋Ｑ2 ）1/2 を算出することにより包絡線を形成する。信号の包絡線は、対数圧縮等の追加処理を施されて表示データを形成し、表示データは、スキャン・コンバータ３４へ供給される。
【００２７】
本発明のいくつかの好ましい特徴のみを図示し説明したが、当業者には多くの改変及び変形が想到されよう。従って、本発明の要旨に含まれるような全ての改変及び変形は特許請求の範囲内に包含されることを意図しているものと理解されたい。
【図面の簡単な説明】
【図１】従来の超音波イメージング・システムのブロック図である。
【図２】本発明の１つの好ましい実施例による超音波イメージング・システムの部分を示すブロック図である。
【図３】本発明のもう１つの好ましい実施例による超音波イメージング・システムの部分を示すブロック図である。
【図４】振幅対基本周波数信号成分の周波数のグラフであり、パラメトリック・ハーモニック・イメージング用の通過帯域を点線で示し、第２調波によるハーモニック・イメージング用の通過帯域を破線で示す図である。
【図５】振幅対第２調波周波数信号成分の周波数のグラフであって、パラメトリック・ハーモニック・イメージング用の通過帯域を点線で示し且つ第２調波によるハーモニック・イメージング用の通過帯域を破線で示すグラフである。
【図６】振幅対第３調波周波数信号成分の周波数のグラフであって、パラメトリック・ハーモニック・イメージング用の通過帯域を点線で示し且つ第２調波によるハーモニック・イメージング用の通過帯域を破線で示すグラフである。
【図７】振幅対第４調波周波数信号成分の周波数のグラフであって、パラメトリック・ハーモニック・イメージング用の通過帯域を点線で示し且つ第２調波によるハーモニック・イメージング用の通過帯域を破線で示すグラフである。
【符号の説明】
１０  トランスデューサ・アレイ
１２  トランスデューサ素子
【図１】
0004728466.tif 000003
【図２】
0004728466.tif 000004
【図３】
0004728466.tif 000005
【図４】
0004728466.tif 000006
【図５】
0004728466.tif 000007
【図６】
0004728466.tif 000008
【図７】
0004728466.tif 000009